(57)【要約】      （修正有）【課題】着脱が簡単で、体に安定させて持ち歩くことができる防犯ブザーケースのショルダーホルダーを提供する。【解決手段】携帯電話収納ケースの横側面両側に突片部材をもうけ、該突片部材の背面に挟持タイプのクリップをもうけて携帯電話収納ケースと服を固定することを可能とし、さらに、中間に肩当をもうける肩用ベルトの一端にもうける接続部材が、ケースの裏面の上部にもうける接続部材と適宣結合し、該肩用ベルトの他端にもうける接続部材が、携帯電話機収納ケースの裏面下部にもうける接続部材と、着脱自在に結合してなる。【選択図】図１
0003167054.tif 000002
【実用新案登録請求の範囲】
【請求項１】
携帯電話収納ケースの横側面両側に突片部材をもうけ、該突片部材の背面に挟持タイプのクリップをもうけて携帯電話収納ケースと服を固定することを可能とし、さらに、中間に肩当をもうける肩用ベルトの一端にもうける接続部材が、ケースの裏面の上部にもうける接続部材と適宣結合し、該肩用ベルトの他端にもうける接続部材が、前記携帯電話機収納ケースの裏面下部にもうける接続部材と、着脱自在に結合してなる携帯電話機収納ケース付け替え型防犯ブザーケースのショルダーホルダー。
【考案の詳細な説明】
【技術分野】
【０００１】
この考案は、携帯電話機や防犯ブザー機を持ち運ぶ時に付ける携帯ホルダーに関する物である。
【背景技術】
【０００２】
従来の携帯電話機収納ケースホルダーは、肩にかけて携帯ケースを上から繋ぐ肩吊りベルトとケースの下からズボンの身体前後にそれぞれ繋いで、ケースを体に固定する接続部材の付いたベルトからなり、方片の脇腹横に携帯ケースを固定するものである。
【０００３】
従来の防犯ブザーホルダーは、首や肩から紐で吊るしたり、ランドセルや肩かけバックのベルト部分に付いたものであった。
【先行技術文献】
【特許文献】
【０００４】
【特許文献１】特開平９−２８４３９号  公報
【特許文献２】実用新案登録番号  第３０１６０１５号  公報
【特許文献３】特開平２００３−１２５８３３号  公報
【特許文献４】実用新案登録番号  第３１２４５９６号  公報
【考案の概要】
【考案が解決しようとする課題】
【０００５】
従来の携帯電話機収納ケースホルダーは、ズボンのベルトに携帯ホルダーベルト先の接続部材を、着脱する作業があり肥満の人や子供などには、前屈みで着脱しにくいと思われ、携帯電話機収納ケース本体が脇腹にくる為、ホルダーの上から上着を着ている時や机などの座り姿勢の時には携帯電話を取る時に手を下にのばさなくてはならず、素早く取りにくい。また、トイレなどのズボンを脱ぎ着する時には、ズボンのベルトに繋いでいる接続部材を外さなくてはならず手間がかかる、また、首から紐やベルトで吊るすだけの物だと、動作のたびに携帯ケースが揺れて安定性が悪く、ケースをぶつけたり、ずり落ちたりする可能性がある。
【０００６】
従来の防犯ブザー機収納ケースホルダーは、鞄やランドセルのベルトに付けるので、防犯ブザー付きの鞄やランドセルのベルトに付けるので、防犯ブザー付きの鞄やランドセルを持たずに出かける時は、防犯ブザーを持ち運びにくく、いつでもすぐに鳴らせる状況に出来ない問題があったり、防犯ブザーのスイッチの紐がランドセルの着脱時に引っかかり、不要に音を出してしまうことがある。また、首や肩にベルトやたすき掛けする物も、走ったり物を拾ったりなどの体勢の時に、揺れたり体にぶつかってバウンドして安定性が悪かったり、取り出す時にすぐに対応しにくかったりしていた。以上の問題を解決する防犯ブザー機収納ケースホルダーを提供することである。
【課題を解決するための手段】
【０００７】
以上の課題を解決するために、本発明は、肩用ベルト１本の先にS字型の接続部材をつけ、それを体前面側に垂らし、携帯電話機収納ケースの上部に付いている輪になった部分に、S字型接続部材をはめて接続し、携帯電話機収納ケースを胸の上の位置のまま、肩用ベルトを肩から背中を通って脇の下へまわし、肩用ベルトを前に出してきて、胸の上の携帯電話機収納ケース裏面下部についてる、面ファスナーに肩用ベルト先の面ファスナーで接続し、ベルトを肩まわりに回し付ける事により携帯電話機収納ケースを胸の上の位置で固定するのである。さらに、携帯電話機収納ケースの横側面両側に、突片部材が付いていて、その背面に挟持タイプのクリップが付いており、そのクリップで衣服を摘んで挟み、両側を挟む事により携帯電話機収納ケースの横両側、上下が体胸上に密着して固定される。さらに、肩用ベルトを携帯電話機収納ケースの上部からS字型接続部材を抜いて外し、携帯電話機収納ケースの裏面下部の面ファスナーも外すと携帯電話機収納ケースと肩用ベルトとをそれぞれ個々に取り外せるので、携帯電話機収納ケースを別の入れ物と取り替えて、肩用ベルトと付け替える事が出来るという事で課題を解決している。
【考案の効果】
【０００８】
これらの事により本発明は、クリップで両側を固定することにより揺れや落下がしにくく、移動時などに便利であり、着脱簡単で体に安定させて持ち歩くことができ、取り付け場所に苦慮する携帯電話と防犯ブザーを衣服の胸の位置に付ける事により、胸ポケットがない服でも手軽に持ち運べて、大人から子供まで簡単に胸の位置での固定により着脱操作がしやすく、携帯機などの取り外しもしやすくなっているので、子供が防犯ブザーや携帯電話を持ち歩く割合が増えてきている近年、子供が素早く操作できる携帯ケースが必要にこたえる事ができる。
【実施例】
【０００９】
以下、この発明の実施形態を図１から図５に基づいて説明する。肩用ベルト１の先にS字型の接続部材２をつけ、それを体前面に垂らし、携帯電話機収納ケースの上部に付いている輪になった部分の接続部材３に、S字型接続部材２をはめて接続し、携帯電話機収納ケースを胸の上の位置のまま、肩用ベルトを肩から背中を通って脇の下へまわし、肩用ベルトを前に出してきて、胸の上の携帯電話機収納ケース裏面下部についている、面ファスナー９に肩用ベルト先の面ファスナーで接続し、肩用ベルトを肩まわりに回し付ける事により携帯電話機収納ケースを胸の上の位置で固定するのである、さらに携帯電話機収納ケースの横面側対向する両面相互に、突片部材８が付いていて、その背面に挟持タイプのクリップ１０がついており、そのクリップで衣服を包んで挟み、両側を挟む事により携帯収納ケースの横両側上下が、体胸上に密着して固定される。さらに、肩用ベルトを携帯電話機収納ケースの上部からS字型接続部材を抜いて外し、携帯電話機収納ケースの裏面の面ファスナー１１も外すと、携帯電話機収納ケースと肩用ベルトとをそれぞれ個々に取り外せるので、携帯電話機収納ケースを別の入れ物と取り替えて、肩用ベルトと付け替える事が出来る。さらに、面ファスナー１１は他の接続部材を使用しても良い。
【００１０】
図５について、携帯電話機収納ケースの肩用ベルトの接続部材上下を外して、防犯ブザー機収納ケースに肩用ベルトを取り付けた、図である。
防犯ブザー機収納ケースの横側面両側の突片部材には挟持タイプのクリップが付いていて、携帯電話機収納ケースと付け替える事が可能である。
【００１１】
図示した説明以外に例えば、肩用ベルトと携帯電話機収納ケースの接続部材の材料や携帯電話機収納ケースの前面フタカバーと本体の接続部材の材料として、ボタン、ホック、マグネット、ジッパー、フック、クリップ、などの接続でも構わない。また、携帯電話機収納ケースの素材として、革、ビニール、ナイロン、布、プラスチック類などが、望ましい材料である。
【産業上の利用可能性】
【００１２】
携帯電話機収納ケースの他に、肩用ベルトの付け替えによって、防犯ブザー機ケース、カメラケース、タバコケース、名刺入れ、財布、小物入れ、などに取り替えて、使用する事が出来る。
【図面の簡単な説明】
【００１３】
【図１】携帯電話機収納ケースの使用状態を示した正面図である。
【図２】同上の使用状態を示した後面図である。
【図３】同上の実施形態を示した正面図である。
【図４】同上のベルト部分接合部の部分状態を示した正面図である。
【図５】防犯ブザー機収納ケースに付け替え後の使用状態を示した。正面図である。
【符号の説明】
【００１４】
１  肩用ベルト
２  接続部材(S字型)
３  接続部材
４  肩当て
５  調節金具
６  前面フタカバー
７  携帯電話機収納ケース
８  突片部材
９  面ファスナー
１０  挟持クリップ
１１  面ファスナー
１２  防犯ブザー機収納ケース
１３  紐かけ接続部材
【図１】
0003167054.tif 000003
【図２】
0003167054.tif 000004
【図３】
0003167054.tif 000005
【図４】
0003167054.tif 000006
【図５】
0003167054.tif 000007